(57)【特許請求の範囲】
【請求項１】
少なくとも１つの方向に弾性的に伸展性のある伸展性ラミネート構造体であって：
内側表面と外側表面を有する第一不織布層と；
内側表面と外側表面を有する第二不織布層と；
第一不織布層と第二不織布層との間に配置された開口エラストマー層と；
第一及び第二不織布層の一方の内側表面の縁部区域に限定してエラストマー層の開口内に複数の分離した玉縁として塗布された柔軟性第一接着剤と；
を備えており、
第一接着剤がエラストマー層の開口を介して第一及び第二不織布層の他方の内側表面の縁部区域に接触し、第一及び第二不織布層の夫々の内側表面の縁部区域を相互に接合して縁部区域に沿ってサイド定着領域を提供している、
伸展性ラミネート構造体。
【発明の詳細な説明】
【０００１】
【発明の属する技術分野】
本発明は、概略的にはラミネート構造体の分野に関係している。より詳しくは本発明は、使い捨て吸収性衣類に組込むことができる伸展性ラミネート構造体に関係している。
【０００２】
【従来の技術】
ラミネート構造体はこれまで、弾性吸収体、例えば汗取り帯（ｓｗｅａｔ  ｂａｎｄ）、包帯、おむつ、及び失禁用装置を含む様々な製品に用いられてきた。これまで用いられていたラミネート構造体の例には、弾性ウエブに接合された、ギャザーを寄せることができる（ｇａｔｈｅｒａｂｌｅ）材料から作られる複合材、メッシュ、ティシュー、及びマイクロ繊維から作られる複合材、及び中央弾性層、通気性材料、及び接着剤層から作られる複合材が含まれる。このようなラミネートの例は、ケックその他（Ｋｅｃｋ  ｅｔ  ａｌ．）に対する米国特許第４，５２２，８６３号、及びスミス（Ｓｍｉｔｈ）に対する米国特許第４，９７７，０１１号中に記載されている。
【０００３】
ラミネート構造体は、装着者の脚を脚部開口に挿入して、この衣類を滑らせて引き上げることにより胴体下部の周りの定位置に装着される、穿くタイプの使い捨て衣類に用いられてきた。このような穿くタイプの衣類の例には、使い捨て下着、パンツ型おむつ、排泄しつけ用パンツ、及び月経用の使い捨てパンティーが含まれる。このような衣類は、尿及びその他の体内からの排泄物を受入れて封じ込めるために、乳幼児及びその他の失禁のある人々が装着することが多い。これらの種類の穿くタイプの衣類の例は、アイガウその他（Ｉｇａｕｅ  ｅｔ  ａｌ．）に対する米国特許第５，１７１，２３９号、ストロビーンその他（Ｓｔｒｏｈｂｅｅｎ  ｅｔ  ａｌ．）に対する米国特許第４，６１０，６８１号、１９９３年９月１６日付けで公開されたＷＯ９３／１７６４８号、ヴァン  ゴンペルその他（Ｖａｎ  Ｇｏｍｐｅｌ  ｅｔ  ａｌ．）に対する米国特許第４，９４０，４６４号、ハッセその他（Ｈａｓｓｅ  ｅｔ  ａｌ．）に対する米国特許第５，２４６，４３３号、及びブエルその他（Ｂｕｅｌｌ  ｅｔ  ａｌ．）に対する米国特許第５，５６９，２３４号中に開示されている。
【０００４】
固定サイド部を有する穿くタイプの使い捨て衣類（例えば排泄しつけ用パンツ又はパンツ型おむつ）は、歩くことができて、多くはトイレのしつけ中の子供に用いられるために人気のあるものになっている。体内からの排泄物を封じ込めるため、及び非常に様々な体形及び寸法に合わせるために、これらのパンツは、装着者の腰及び脚の周りにぴったりと適合して、胴体の定位置から垂れたり、たるんだり、ずれ落ちたりしないものでなければならず、同様に製品がきつすぎることによって皮膚に刺激を与えることなく、より大きい装着者にも合うものでなければならない。従ってこのパンツは、腰及び脚に弾性的伸展性があって、弾性伸展性が高度な伸び性を生じるものでなければならない。ストレッチラミネートから形成されるサイドパネルを含む伸展性サイドパネルは、このような衣類のサイド区域にある程度の伸び性を与えるために以前から用いられていた。
【０００５】
しかしながら従来の伸展性サイドパネルを備えた穿くタイプの衣類は一般に、伸ばされた場合は、たるんだり、垂れたり、あるいは装着者の体からずれ落ちたりする傾向がある。このことは、伸展性サイドパネルがラミネート構造体から形成されている場合に特に当てはまる。ある一定の時間、すなわち装着サイクルの間（衣類が装着されている時間）引張られている場合、ラミネート構造体の層は、互いに対して動くことがある。このような相対的な動きは、「クリープ」として知られており、この結果として一般的には、サイドパネルに発生する保持力の減少が生じる。さらにはラミネート構造体の層は、装着サイクルの間に発生するせん断力を受けて、離層することがある。これはまた、サイドパネルに発生する保持力を減少させる。これらの保持力がこのようにして減少することによって、一般にはたるみ、垂れ、又はずれが生じ、従って体内からの排泄物が適切に封じ込められないかもしれず、漏れが生じる可能性もある。さらには、たるみ、垂れ、又はずれが生じる衣類は一般には、装着者にとってあまり快適でなく、消費者には受け入れがたいものである。
【０００６】
さらに従来のサイドパネルは一般に、性能特性、例えば通気性、装着者にとっての柔らかい感触、装着時の力、収縮力の持続などの間での交換関係がこれまでは必要であった。ある領域の性能を改良するためには、別の領域での性能が一般的には犠牲にされていた。例えば、おむつを装着する時に高度の伸び（例えば約２００％）を必要とする従来のサイドパネルは、消費者にとって受け入れられるようになるには低い装着力が必要である。しかしながら装着サイクル中には一般的であるサイドパネルのより低い伸び水準（例えば約５０％）では、このようなサイドパネルは、おむつのたるみを防ぐには低すぎる収縮力の持続を示す。
【０００７】
【発明が解決しようとする課題】
さらにはおむつの装着サイクル中に１５０〜２００％まで引張られることがある従来のサイドパネルは一般に、ラミネート弾性要素にせん断力を生じ、これは、布地又は材料要素からの離層又はクリープを引起こす。
【０００８】
前記のことに基づいて、クリープ及び離層を実質的に排除し、これによって装着中にこのようなラミネートを組込んでいる衣類のたるみ、垂れ、及びずれを実質的に排除し、性能の交換関係を必要としない伸展性ラミネート構造体が必要とされる。既存のものには、本発明の利点及び長所のすべてを備えるラミネート構造体も、穿くタイプの衣類もまったくない。
【０００９】
【課題を解決するための手段】
本願の発明に従った伸展性ラミネート構造体は、少なくとも１つの方向に弾性的に伸展性のある伸展性ラミネート構造であって：
内側表面と外側表面を有する第一不織布層と；
内側表面と外側表面を有する第二不織布層と；
第一不織布層と第二不織布層との間に配置された開口エラストマー層と；
第一及び第二不織布層の一方の内側表面の縁部区域に限定してエラストマー層の開口内に複数の分離した玉縁として塗布された柔軟性第一接着剤と；
を備えており、
第一接着剤がエラストマー層の開口を介して第一及び第二不織布層の他方の内側表面の縁部区域に接触し、第一及び第二不織布層の夫々の内側表面の縁部区域を相互に接合して縁部区域に沿ってサイド定着領域を提供している。
【００１０】
本発明のこれらの特徴及びその他の特徴、側面及び利点は、本明細書を読めば、当業者には明らかになるであろう。
【００１１】
【発明の実施の形態】
明細書は、本発明を特に指摘し明確に請求する請求の範囲で結論付けてはいるが、本発明は、添付図面と共に考慮に入れられる下記記載からよりよく理解されると考えられる。これらの図面において、同じ記号は実質的に同じ構成要素を示すために用いられる。
【００１２】
ここに引用された全ての文献は、引用されることによりその全体が本願の記載に組み込まれる。あらゆる文献の引用は、特許請求されている発明に対する先行技術としての有効性についてのいかなる決定をも認めて導入されたのではない。
【００１３】
図１は、形成される前のラミネート構造体２０の好ましい実施例の構成要素の分解図である（形成後のラミネート構造体２０の好ましい実施例は、図２中に側面図として示されている）。ラミネート構造体２０は、第一カバーストック層２２、複数の第一ストランド２５と複数の第二ストランド２７を有するエラストマー層２４、及び第二カバーストック層２６から形成されている。
【００１４】
ラミネート構造体２０は好ましくは少なくとも１つの構造方向Ｄを有しており、ここにおいて構造方向Ｄの少なくとも一部は、弾性的に伸展性がある。より好ましくはラミネート構造体２０は、第二ストランド２７の方向及び全体の長さに沿って、構造方向Ｄを生じる。構造方向Ｂは、第一ストランド２５の方向及び全体の長さに沿って備えられ、構造方向Ｄに対して実質的に垂直である。さらに構造方向ｚが備えられ、ラミネート構造体２０の厚さを通って伸びる方向として定義される。
【００１５】
ラミネート構造体２０が弾性的に伸展性のある少なくとも１つの構造方向Ｄを備えるのが好ましいが、さらには、ラミネート構造体２０が非弾性であり、従って弾性的に伸展性のある構造方向が備えられないということも考えられる。あるいはまたラミネート構造体２０には、この長さの一部が弾性的に伸展性があり、この長さの一部が非弾性であるような構造方向が備えられていてもよい。ここで用いられている「弾性的に伸展性がある」という用語は、張力が加えられた時に少なくとも１つの方向（好ましくは側面方向又は構造方向Ｄ）に伸長し、張力が取り除かれた時に、大体その以前の大きさ及び形状に戻るセグメント又は部分を意味する。
【００１６】
図１を参照すると、エラストマー層２４には複数の第一ストランド２５が備えられている。これらのストランドは、ノード（ｎｏｄｅ）３０において複数の第二ストランド２７と予め決められた角度αで交差し、複数の開口３２を有するネット様開放構造を形成している。各開口３２は、少なくとも２つの隣接する第一ストランド（例えば３４と３６）、及び少なくとも２つの隣接する第二ストランド（例えば３８と４０）によって画定されており、従って開口３２は形状が実質的に長方形である。開口３２のその他の形状、例えば平行四辺形、正方形、あるいは円形アーチセグメントが備えられてもよい。好ましくは第一ストランド２５及び第二ストランド２７は実質的に直線であり、実質的に互いに平行である。好ましくは第一ストランド２５は、ノード３０において第二ストランド２７と、角度αが約９０°になるように交差する。第一ストランド２５及び第二ストランド２７は、好ましくはノード３０において接合されているか、あるいは接着されている。
【００１７】
好ましくはエラストマー層２４はエラストマースクリム（ｓｃｒｉｍ）材料である。好ましいエラストマースクリム材料は、コンウエッド・プラスチックス社（Ｃｏｎｗｅｄ  Ｐｌａｓｔｉｃｓ  Ｃｏｍｐａｎｙ）によって、ＴＮ２５１４という名称で製造されているものである。この材料は、構造方向Ｂ（すなわち第一ストランド２５）において１インチあたり１２の弾性ストランドを有し、構造方向Ｄ（すなわち第二ストランド２７）において１インチあたり７つの弾性ストランドを有する。エラストマー層２４として用いるのに好ましいその他の材料には、穿孔フィルム及び弾性ストランドが含まれ、ここにおいて弾性ストランドは構造方向Ｂ及びＤのどちらか又は両方にあってもよく、あるいはカバーストック層において側面から側面まで連続的な直線状に通っていてもよい（連続した細長い「Ｓ」型パターンをつくる）。あるいはまた、その他のエラストマー材料、例えば「生きた」合成又は天然ゴム、その他の合成又は天然ゴムフォーム、エラストマーフィルム（熱収縮性及び開口エラストマーフィルムを含む）、エラストマー織布又は不織布ウエブ、エラストマー複合材、あるいは技術者（ａｒｔｉｓａｎ）に知られたその他のこのような材料を用いてもよい。しかしながら一般的なフィルム弾性材料及びその他のエラストマー層は、ラミネート構造を通る蒸気の透過を遮断する傾向がある。これによって通気性が減少することもある。
【００１８】
第一カバーストック層２２は、内側表面４２と外側表面４４とを有する。第一カバーストック層２２の内側表面４２は、エラストマー層２４に向いて配置された表面である。第二カバーストック層２６も、内側表面４６と外側表面４８とを有する。第二カバーストック層２６の内側表面４６は、エラストマー層２４に向いて配置された表面である。エラストマー層２４はまた、２つの平面表面、すなわち第一表面５０と第二表面５２とを有する（図２Ａにより明白に示されている）。これらの各々は第一カバーストック層２２及び第二カバーストック層２６の平面と実質的に平行である。第一表面５０は、第一カバーストック層２２の内側表面４２の最も近くに隣接したエラストマー層２４の平面表面である。第二表面５２は、第二カバーストック層２６の内側表面４６の最も近くに隣接したエラストマー層２４の平面表面である。
【００１９】
ラミネート構造体２０は、使用中に機械的伸展に付されるものであるから、第一カバーストック層２２及び第二カバーストック層２６は好ましくは伸長性があり、より好ましくは圧伸性があり（ｄｒａｗａｂｌｅ）（但し必ずしもエラストマー性はない）、不当な裂けもほつれも好ましくは全くない。さらにはラミネート２０に関して考えられている一般的な使用には、装着者の皮膚と接触する製品の中への組み込みも含まれるので、第一カバーストック層２２及び第二カバーストック層２６は、好ましくは柔軟性があり、感触が柔らかく、装着者の皮膚に刺激を与えず、この製品に布の衣類の感触と快適性を与える。適切な材料は、広い範囲の材料、例えばプラスチックフィルム、開口プラスチックフィルム、天然繊維（例えば木材又は綿繊維）、合成繊維（例えばポリオレフィン、ポリアミド、ポリエステル、ポリエチレン、又はポリプロピレン繊維）の織布又は不織布ウエブ、あるいは天然及び／又は合成繊維の組合わせ、あるいはコート（ｃｏａｔ）された織布又は不織布ウエブから製造することもできる。
【００２０】
好ましくは第一カバーストック層２２及び第二カバーストック層２６の各々は、同一の圧縮（ｃｏｎｓｏｌｉｄａｔｅｄ）不織布材料である。好ましい不織布材料の例は、ファイバーウエブ社（ＦｉｂｅｒＷｅｂ  Ｃｏｍｐａｎｙ）によって、ソフスパン（Ｓｏｆｓｐａｎ）２００という名称で製造されているものである。この材料は、圧縮前の坪量が２５ｇ／ｍ2である。ここで用いられている「坪量」は、平面ウエブ材料１平方メートルの重量である。あるいはまた、高度な歪性（ｓｔｒａｉｎａｂｌｅ）のある不織布材料を用いてもよい。あるいはまた、第一カバーストック層２２及び第二カバーストック層２６は、所望の性能要件、例えば弾性性能、柔らかさ、柔軟性、通気性、及び耐久性が満たされている限り、同一の材料からできている必要はない。ここで用いられている「圧縮不織布材料」は、機械的張力を受けている時に、構造方向Ｄにギャザーが寄せられるか、あるいはネック生成（ｎｅｃｋｅｄ）され、従って材料が低い力を受けて構造方向Ｄに伸長しうる不織布材料を意味する。
【００２１】
ラミネート構造体２０は好ましくは、図１に示されているように、エラストマー層２４を、第一カバーストック層２２と第二カバーストック層２６との間に配置し、下記の接着パターンを用いて３層を接着剤で接着して形成される。本発明の好ましい実施例は、３層を有するラミネートに関連して記載されてはいるが、本発明のラミネート構造体は、３層を有するものに限定されないことは当業者には明白であろう。さらに、本発明のラミネートのサイドアンカー領域は、１つ、２つ、あるいは３つの接着剤の塗布によって形成されたものに限定されず、技術者に知られたあらゆる手段によって形成することができることは、当業者にはさらに明白であろう。
【００２２】
従って、本発明のラミネートを形成するために用いられる接着剤塗布の数、種類、及び順序の変形例は本発明の範囲内にあるが、好ましくは少なくとも第一接着剤は、カバーストック層の少なくとも１つの内側表面に塗布されて、ラミネート構造２０の縁部に沿ってサイドアンカー領域Ａを生じる。これについては次にさらに十分に記載する。
【００２３】
ラミネート２０の構造方向Ｂの中を覗き込んでいる断片拡大側面図が、図２Ａに示されている。ラミネート２０が接着されるかあるいは定着され（ａｎｃｈｏｒ）、従ってサイドアンカー領域Ａが生じる時、このようなラミネート２０は、弾性が高く、同時に離層もクリープも実質的になく、その一方ですべての性能の面で非常に良好な性能特性を備え、必要とされるあらゆる性能特性の間の交換関係の必要がない。サイド定着は好ましくは、接着剤玉縁（ａｄｈｅｓｉｖｅ  ｂｅａｄｓ）でサイド接着し、エラストマー層をカバーストック層間に、ラミネーションプロセスの一部として定着させて実施される。これについては次にさらに十分に記載する。あるいはまた、サイド定着は、縫合、熱密封、超音波接着、ニードルパンチ、その他の接着方法によって、あるいは当業者に知られたその他のあらゆる手段によって実施することができる。もう１つの方法は、エラストマー要素及びカバーストック要素のラミネーションが実施された後でラミネート構造の層をサイド定着させる方法である。
【００２４】
特に本発明のラミネートによって、装着者及び消費者に非常に良好な柔らかい感触を与えることができる。消費者は柔らかさを尊重するのでこれは特に重要である。従来のラミネートにおいて、クリープを排除しようとすると、柔らかさを受入れがたいほど減少させる必要があり、受け入れがたいほどの活性化能力（ａｂｉｌｉｔｙ  ｔｏ  ａｃｔｉｖａｔｅ）の減少を伴なうことが多かった。この理由は、このような以前の試み（クリープを排除しえなかった）は、追加の溶融吹き込み接着剤の塗布に焦点合わせされ、全体的な被覆パターンに集中されることが多く、接着を強化しようとしたからである。この結果、一般にラミネートの望ましくない全体的剛化が生じた。しかしながら本発明のラミネートは、消費者が求める柔らかい感触を失わず、活性化能力を犠牲にすることもなく、クリープを排除することができる。
【００２５】
図２Ａを参照すると、第一接着剤７０（図面では別に示されていない）は、第二カバーストック層２６の内側表面４６において、ラミネート構造体２０の外側縁部８０の各々と対応する位置において塗布されている。あるいはまた、又はこれに加えて、第一接着剤７０は、第一カバーストック層２２の内側表面４２に塗布されてもよい。例示を容易にするために、明細書及び図面は、第二カバーストック層２６のみへの塗布に関している。
【００２６】
この配列はサイドアンカー領域Ａを生じる。これは実質的に、既に知られているラミネートと関連した離層とクリープを実質的に排除し、この領域によって、ラミネート２０は、クリーピングも離層も伴なわずにより高い歪みを受けることができる。第一接着剤７０をラミネート構造体２０の縁部区域８０に限定することによって、ラミネート２０の伸展性の阻害が避けられ、同様にカバーストック層２２及び２６における裂けも避けられる。好ましくは第一接着剤７０は、図面に示されているように、複数の玉縁６８として塗布される。好ましくは第一接着剤７０は、非晶質及び結晶化要素を有する柔軟性接着剤である。このような好ましい接着剤は、フィンドレイ・アドヒーシブ社（Ｆｉｎｄｌｅｙ  Ａｄｈｅｓｉｖｅ  Ｃｏｍｐａｎｙ）によって、Ｈ９２２４という名称で製造されているものである。
【００２７】
図４は、ラミネート２０の簡略図であり、玉縁６８によって作られるサイドアンカー領域Ａの位置、及びラミネート２０の中央区域に存在する比較的伸展性の高い区域Ｓを示す。図示を簡単にするために、第二カバーストック層２６は想像線で示されており、エラストマー層２４は、第二カバーストック層２６の上に積み重ねられているものが示されている。図に示された領域Ａは一例であり、これらのサイドアンカー領域Ａは、例えば正確な位置、幅、または間隔あけに関して様々な設計上の必要性を受け入れることができ、図面に示されているものに限定されないことは、当業者には理解できよう。図４はまた、実質的にエラストマー層の開口３２内の玉縁６８の好ましい位置を示している。これは次により詳細に記載される理由によって、サイドアンカー領域Ａの一体性を保つのに役立つ。
【００２８】
玉縁６８の各々は適用された時、ｚ方向に、すなわち第二カバーストック層２６の厚さの中に好ましくは吸収される。ここではこれはカバーストック層の繊維を、適用区域に閉じ込める。図３Ａは、ラミネート２０の一部の拡大図であり、第二カバーストック層２６の内側表面４６への当初塗布後の接着剤玉縁６８の位置を示す。好ましくは多くの玉縁６８は、構造方向Ｂにおいて連続的になるように塗布される。玉縁６８は好ましくは、１玉縁あたり１直線インチにつき約０．５〜約３．５ミリグラムのレベル、より好ましくは１玉縁あたり１直線インチにつき約１．５ミリグラムで塗布される。図３Ａはまた、実質的にエラストマー層の開口部３２内にある玉縁６８の好ましい位置を示す。玉縁６８の為のもう１つの塗布方法は領域塗布（ｚｏｎｅ  ｃｏａｔｉｎｇ）である。
【００２９】
接着剤玉縁６８が設置される前、これは好ましくは挟持され（ｎｉｐ）、これによって、エラストマー開口３２を通るのが見えている玉縁６８の部分が、第一カバーストック層２２の内側表面４２と接触する。挟持圧力Ｎが十分に高いならば、玉縁６８の接着剤は、第一カバーストック層２２の行列内に流れ込む。図３Ｂは、挟持中の接着剤玉縁６８の典型的な位置を示す。摘み中、エラストマー層２４の第一ストランド２５及び第二ストランド２７（第一ストランド２７のみが図３Ｂに示されている）も圧縮を受ける。しかしながら挟持圧力Ｎが除去された時、ストランド２５及びストランド２７はそのもとの形状に戻る。
【００３０】
玉縁６８が設定された後、第一カバーストック層２２及び第二カバーストック層２６は、第一カバーストック層２２及び第二カバーストック層２６への繊維の接着剤による閉じ込め（ｅｎｃａｓｅｍｅｎｔ）、及び図３Ｃに示されているようなスクリム（ｓｃｒｉｍ）開口３２を通って形成されるｚ方向連続凝集接着によって形成される接着によってロックされる。
【００３１】
ラミネート２０のもう１つの好ましい実施例は、第二接着剤６４（図面には別に示されていない）を含んでいる。第二接着剤６４は好ましくは、エラストマー層２４の第二表面５２に塗布されるが、あるいはまたエラストマー層２４の第一表面５０に塗布されてもよい。第二接着剤６４は好ましくは螺旋噴霧配列６６に塗布され、これによって接着点６７ｂが形成される。これは直線噴霧塗布によって形成されるものよりさらに離散している。理論により規定されているわけではないが、このように噴霧された第二接着剤６４の大部分は、構造方向Ｄに一直線になると考えられる。従って、螺旋噴霧の結果、非常に良好な活性化特性が生じることが分った。ここで用いられている「活性化（ａｃｔｉｖａｔｉｏｎ）」とは、ストレッチ能力のことを言う。第二螺旋噴霧配列６６及び接着点６７ｂは、図２Ａ及び２Ｂに示されている。
【００３２】
第二接着剤層６４を直接エラストマー層２４の第二表面５２に噴霧することは、第二接着剤６４を反対側（すなわち第二）カバーストック層２６に塗布するよりも好ましいことが分った。その理由は、第二接着剤６４が、エラストマー層２４の表面に残ることがある残留加工処理剤又はオイルを通って浸透する傾向があるからである。このような残留物質は、エラストマー層２４の表面に残ったままに放置されると、接着剤接着を弱め、従って時間が経つにつれてラミネート構造体２０を弱めることがある。例えばこれらの残留物質が手をつけられずに放置されると、ラミネート２０を形成するために用いられた接着は、消費者が製品を買う前の間に弱まることがある。
【００３３】
螺旋接着剤区域のラミネート２０の剥離値（ｐｅｅｌ  ｖａｌｕｅ）は、螺旋６６が反対側の（すなわち第二）カバーストック層２６にではなく直接エラストマー層２４に塗布された場合の方が一般に高い。ここで用いられている「剥離値」という用語は、カバーストック材料の２つの層２２及び２６を互いに離すのに必要な力の量のことを言う。より高い剥離値は一般に、使用中の離層の機会がより少ないことに等しい。
【００３４】
第三接着剤６０（図面には別に示されていない）をも、好ましくは第一カバーストック層２２の内側表面４２に塗布してもよい。好ましくは第三接着剤６０はエラストマー接着剤である。第二螺旋接着剤塗布６６に関して記載されたものと同様に、第三接着剤６０は好ましくは螺旋噴霧配列６２で塗布され、これによって接着点６７ａが形成される。これは直線噴霧塗布によって形成されるものよりさらに離散している。理論により規定されているわけではないが、このように噴霧された第三接着剤６０の大部分は、構造方向Ｄに一直線になると考えられる。第三螺旋噴霧配列６２は図２Ａ及び図２Ｂに示されている。
【００３５】
好ましくは第三接着剤６０及び第二接着剤６４は、同じエラストマー接着剤である。第三接着剤螺旋噴霧６２及び第二接着剤螺旋噴霧６６に用いるのに好ましい接着剤は、フィンドレイ・アドヒーシブ社（Ｆｉｎｄｌｅｙ  ａｄｈｅｓｉｖｅ  Ｃｏｍｐａｎｙ）によって、名称Ｈ２１２０として製造されているものである。好ましくは第三螺旋噴霧６２及び第二螺旋噴霧６６の各々に関する添加水準は、１平方インチあたり約４〜約１２ミリグラム、より好ましくは１平方インチあたり約８ミリグラムである。
【００３６】
製造を容易にするために、図２Ａに示されているラミネート構造体２０は、穿孔線Ｐが略中心線に設けられている場合、全体の幅がＷである材料から形成することができる。従って接着が実施された後、構造は幅Ｗ１及びＷ２によって画定される２つの区域に分けられる。図２Ｂには穿孔後のものが示されている。穿孔線Ｐは、ラミネート構造体２０が２つのサイドパネルを有する衣類、例えばパンツ型おむつに組込まれる場合、分離を容易にするものである。約１２６ｍｍのＷ、その結果生じる約６３ｍｍのＷ１及びＷ２が、おむつ転換線（ｄｉａｐｅｒ  ｃｏｎｖｅｒｔｉｎｇ  ｌｉｎｅ）に適していることが分っている。
【００３７】
本発明のラミネート構造体２０は、せん断力と剥離力のどちらにも高い抵抗力を有し、使用中、実質的に離層もクリープもまったく生じない。ラミネート構造体２０の縁８０における結晶化接着剤（例えば玉縁６８）は、ラミネート２０の縁８０の直線部位に機械的に組み合わされた領域（すなわちサイドアンカーゾーンＡ）を生じる。ここに記載された好ましい接着剤配列によって、エラストマー層２４の支持体のクリープの危険性を伴なわずに、２００％までストレッチしうるラミネート２０の構成が可能になる。クリープは、ラミネート２０を２００％伸展まで予備ストレッチし、これを１００％伸展まで戻し、３８℃の試験室に２４時間保持するテストプロトコルを用いて測定される。成功の基準は、テストされたすべての標本に関して、ラミネート２０の縁に動きがないものであると考えられる。このクリープテストは、装着中のエラストマー層２４のせん断作用による、使用中の疲労を模したものである。せん断作用は、装着者の動きによって誘発され、これは、連続しんちょう・弛緩サイクルに、装着期間中ずっとほぼ２４％から１５０％までの歪を引起こす。従来の接着、例えば弾性接着剤を用いた接着のみが、一般にこのクリープテストに失敗する。
【００３８】
既に知られているラミネーション技術を用いた原料及び複合材（例えば弾性フィルム、ライクラ（Ｌｙｃｒａ）ストランド、従来の不織布カバーストック材料、単一の接着剤系）はすべて、性能基準における交換関係を必要とした。これにより、これらの性能基準の少なくともいくつかに犠牲を払うことになった。好ましいラミネート構造体２０は、実質的に離層もクリープもなく、その一方でまた、多くの望ましい性能特性を有しており、あらゆる性能特性のカテゴリーにおいて交換関係にする必要がないものである。
【００３９】
ラミネートを、穿くタイプの典型的な使い捨て衣類に組み込む場合に好ましいラミネート２０の応力／歪特性には例えば、低い装着時の力（すなわち２００％伸展において、１インチあたり約４００グラムより小さく、より好ましくは２００％伸展において、１インチあたり約２５０グラムより小さい）、高い当初収縮力（すなわち５０％伸展において約７５グラムより大きい）、及び高い収縮力の持続（すなわち３８℃で１２時間測定して、５０％伸展において約６０グラムより大きい）が含まれる。好ましいラミネート２０はさらに、高速活性化特性（すなわち１分あたり約１７５０フィート）、及び非常に良好な通気性特性を有する（すなわち表面全体において均一に約４０００ＭＶＴＲより大きい。ここにおいてＭＶＴＲ（質量蒸気透過率）は、次の式を用いて計算される。これはｇ／ｍ2／２４時間で表示される）：
0003933710.tif 000002
ラミネート構造体２０に関するもう１つの実施例は、玉縁６８をラミネートの構造方向Ｄにおいて均一に配置することによって形成することができる。この構造は、活性化の要求があまり厳しくなく、従って玉縁６８が縁３０に限定される必要がない使用に特に適している。
【００４０】
もう１つの実施例は、玉縁６８が構造方向Ｂに不連続になるように塗布されるものである。玉縁は、一連の離散ドット（ｄｏｔ）として配置されてもよい。このようなドットは、構造方向Ｂ及び構造方向Ｄの両方において、反復及び間隔あけの形状頻度を変えて、あらゆる数の配列で用いることができる。
【００４１】
他のこれに代りうる実施例において、サイド定着は、接着剤玉縁塗布とは異なる手段で実施されてもよい。サイド定着は、機械的相互固定手段、例えばカバーストック層の縁部の選択的ニードルパンチ、縫合、あるいはハイドロエンタングリング（ｈｙｄｒｏｅｎｔａｎｇｌｉｎｇ）によって、エラストマー層開口３２を通る縁８０の相互固定を行なって実施される。あるいはまたカバーストック層２２，２６の縁８０を融着して、サイドアンカー領域Ａを形成するような選択的加熱を実施してもよい。あるいはまた超音波又は熱挟持（ｎｉｐｐｉｎｇ）を用いて、外側縁８０を選択的に融解し、固定し、サイドアンカー領域Ａを形成する。このようなことは、もう１つの好ましい縁接着手段の例として挙げられ、当業者に知られたあらゆる適切な手段を、ラミネートのサイド定着と関連して用いることができると理解すべきである。
【００４２】
図５は、ここに記載されているような縁接着ラミネート構造体２０の連続製造方法に関する好ましい構成を示している。第一カバーストック層２２は、好ましくは最大約１％歪において、１分あたり約３００フィートのウエブ速度で、第一巻出ロール１００から巻き出される。さらに、第一カバーストック層２２が最初の１対の張力ロール１０２ａ，１０２ｂを通過させられてもよい。（本発明の範囲から逸脱することなく、その他の様々な追加又はこれに代る張力ロール又はその他の加工処理装置も、本発明に関連して用いることができると、当業者には理解されるであろう。）ほぼ同時に、エラストマー層２４は、エラストマー巻き出しロール１０４から、好ましくは最大約１％歪において、１分あたり約３００フィートのウエブ速度で巻き出される。エラストマー巻き出しロール１０４と共同作用する剥離ライナーロール１０６は、エラストマー巻き出しロール１０４上のエラストマー層２４と並置されていることもある剥離ライナー（図示されていない）を巻き取って、エラストマー巻き出しを容易にするため、すなわちエラストマー層２４がそれ自体にくっついたり、あるいは接着したりするのを防ぐために用いてもよい。このような剥離ライナーは一般的に廃棄されるものである。
【００４３】
第一カバーストック層２２とエラストマー層２４が巻き出されるのと同時に、第二カバーストック層２６は、第二カバーストック巻き出しロール１１２から、好ましくは最大約１％歪、１分あたり約３００フィートのウエブ速度で巻き出される。第二カバーストック層２６はさらに、１対の第二張力ローラ１１４ａ，１１４ｂを通過させられる。（本発明の範囲から逸脱することなく、その他の様々な追加又はこれに代る張力ロール又はその他の加工処理装置も、本発明に関連して用いることができると、当業者には理解されるであろう。）
少なくとも第一接着剤７０が、第二カバーストック層２６の内側表面４６に、好ましくは第二カバーストック層２６の外側縁部８０の各々において（図５に示されていない）構造方向Ｂに連続して配置された玉縁６８の形態で（図５に示されていない）塗布される。第一接着剤７０は、第一接着剤塗布機１１６に供給される。この塗布機は一般に、適切な接着剤塗布配列を容易にするために、第二カバーストック層２６に十分に近い位置にある。前記のような玉縁６８の配列が好ましい。あるいはまた、又はこれに加えて、第一接着剤７０は、第一カバーストック層２２の内側表面４２に塗布されてもよい。図示を容易にするために、明細書及び図面は、第二カバーストック層２６への塗布のみに関している。
【００４４】
エラストマー層２４、この縁部位８０に第一接着剤７０が塗布された第一カバーストック層２２、及び第二カバーストック層２６は、共同作用する挟持ロール１１８ａ及び１１８ｂの間を通過する時に互いに接触させられる。図３Ａ〜図３Ｂに関連して説明されるように、ニッピングロール１１８は、カバーストック層２２と２６との間の接触を引起こし、これによってエラストマー層２４を互いに接着させ、サイドアンカー領域Ａを生じる。好ましくは接着剤玉縁６８は、エラストマー層２４の開口３２を通っているのが見え、これは第一カバーストック層２２と接触し、同様に好ましくは玉縁６８が第一カバーストック層２２の繊維行列の中に流れ込むようにされ、粘着性（ｃｏｈｅｓｉｖｅ）ｚ方向接着を生じる。挟持後、最終ラミネート材料２０は巻戻しストランド１２０の上に巻上げられてもよい。ここにおいて接着剤は硬化される。
【００４５】
もう１つの好ましい実施例において、さらに第二接着剤６４が備えられ、少なくともエラストマー層２４をカバーストック層２２及び２６のうちの１つに接着させる。第二接着剤６４はまた、第一カバーストック層２２と第二カバーストック層２６とを互いに接着させることもできる。第二接着剤６４は好ましくは、第二接着剤塗布機１１０からエラストマー層２４の第二表面５２（図５に示されていない）に直接塗布される。第二接着剤６４は、第二接着剤塗布機１１０に供給される。これは一般に適切な接着剤塗布配列を容易にするために、エラストマー層２４に十分に近い位置にある。第二接着剤６４は好ましくは、１平方インチあたり約４〜約１２ミリグラムの添加レベルで、より好ましくは１平方インチあたり約８ミリグラムで螺旋噴霧形状に塗布される。
【００４６】
さらにもう１つの好ましい実施例において、さらに第三接着剤６０が備えられ、少なくともエラストマー層２４をカバーストック層２２，２６のうちの１つに接着させている。第三接着剤６０はまた、第一カバーストック層２２と第二カバーストック層２６とを互いに接着させてもよい。第三接着剤６０は好ましくは、第一カバーストック層２２の内側表面４２に塗布される（図５に示されていない）。第三接着剤６０は、第三接着剤塗布機１０８に供給される。これは一般に適切な接着剤塗布パターンを容易にするために、第一カバーストック層２２に十分に近い位置にある。第三接着剤６０は好ましくは、１平方インチあたり約４〜約１２ミリグラムの添加レベルで、より好ましくは１平方インチあたり約８ミリグラムで螺旋スプレー形状に塗布される。
【００４７】
当業者には理解されるように、工程変数、例えばウエブ速度、及び接着剤流量は変えてもよい。接着剤塗布工程を変えてもよい。同様に接着剤６０，６４，及び７０のあらゆる組合わせも可能である。例えば接着剤玉縁６８配列を塗布するために、第一接着剤塗布機１１６として、グラビア又はスクリーン印刷を用いることもできる。さらには溶融吹き込み接着剤、ノードソン（Ｎｏｒｄｓｏｎ）制御塗布、あるいはこれに匹敵しうるあらゆる繊維化（ｆｉｂｅｒｉｚａｔｉｏｎ）工程を、第二接着剤６０及び第三接着剤６４を塗布するために螺旋噴霧装置の代りに用いてもよい。多くのその他の修正も、本発明の範囲から逸脱することなく可能である。
【００４８】
ラミネート構造体２０は、多様な製品に組込まれうるが、これらの製品においては、一部又は全部がその長さに沿って弾性がある少なくとも１つの構造方向を備えるのが望ましい。このような製品の例には、弾性おむつ、テープおむつ、失禁用製品、包帯、ボディラップ（ｂｏｄｙ  ｗｒａｐｓ）等が含まれる。ラミネート構造体２０の特に好ましい使用の１つは、穿くタイプの衣類、例えば図６に示されている一体型パンツ型おむつのサイドパネルとしてである。
【００４９】
ここで用いられている「穿くタイプの衣類」という用語は、画定された腰開口と１対の脚開口を有しているものであって、脚を脚開口に挿入し、この製品を腰の上に引き上げて被せることによって装着者の体に引張って装着される衣類のことを言う。「使い捨て」という用語はここでは、洗濯されたり、あるいは復元されたり、衣類として再使用されるためのものではない衣類について記載するために用いられる（例えばただ一度の使用後に捨てられ、好ましくはリサイクルされるか、堆肥にされるか、あるいは環境に優しい方法で処分されるためのものである）。「一体型」の穿くタイプの衣類とは、統合された別々の部品から構成されて、調和した全体を構成する穿くタイプの衣類のことを言うが、サイドパネルが少なくとも１つの層によって形成されているという点において、サイドパネルは、別のシャシーに接着されている別々の要素ではない。これはまた、この衣類の中央パネル又はシャシーを形成する（すなわちこの衣類は、別々に操作されるパネル、例えば別々のシャシー及び別々のサイドパネルを必要としない）。穿くタイプの衣類はまた、好ましくは体内から排出された様々な排泄物を吸収して封じ込めるために、好ましくは「吸収性がある」。１つの例は、例えば穿くタイプの一体型使い捨て吸収性衣類、すなわち図６に示されているパンツ型おむつ２００である。ここで用いられている「パンツ型おむつ」という用語は、尿及び大便を吸収して封じ込めるために、乳幼児及びその他の失禁のある人々が一般に装着する、穿くタイプの衣類のことを言う。しかしながらその他の穿くタイプの衣類、例えば排泄しつけ用パンツ、失禁用ショーツ、女性用ショーツ、女性用衛生衣類又はパンティー等がここに含まれると理解すべきである。
【００５０】
図６は、パンツ型おむつの一例の透視図である。パンツ型おむつ２００は、外側表面２２０、外側表面２２０の反対側にある内側表面２４０、前部２６０、後部２８０、股部３００、及び前部２６０と後部２８０とを接着させて、脚開口３４０と腰開口３６０を形成する閉じ部（ｓｅａｍ）３２０を有する。連続ベルト３８０が、腰開口３６０の周りに形成されている。連続ベルト３８０は動的に適合力を生じ、装着中に動的に生じた力を分配する働きをする。従ってパンツ型おむつ２００は好ましくは、シャシー層４００；第一ベルト層４２０；第二ベルト層４４０；前部２６０の各サイドパネルに配置された弾性的に伸展性のあるストレッチパネル（前部ストレッチパネル４６０）、後部２８０の各サイドパネルに配置された弾性的に伸展性のあるストレッチパネル（後部ストレッチパネル４８０）、及び前部２６０と後部２８０との両方に配置された弾性腰部材５００を含んでいる。パンツ型おむつ２００はさらに、弾性脚部材５２０を備えている。第一ベルト層４２０と第二ベルト層４４０（ベルト層）が好ましくは布の外見を有する不織布ウエブであり、シャシー層４００が好ましくはプラスチックフィルムであるので、パンツ型おむつ２００は、次の点で独特の美的特徴を有する。すなわちこれは介護者と装着者が、腰に衣類様の快適性と感触があると感じる一方、股には封じ込めの利点が感じられるといる点である。このようなパンツ型おむつは、ブエルその他（Ｂｕｅｌｌ  ｅｔ  ａｌ．）に対する米国特許第５，５６９，２３４号に開示されている。この特許はここに引用されることによりその全体がここに組込まれる。
【００５１】
前部ストレッチパネル４６０と後部ストレッチパネル４８０は、パンツ型おむつ２００の一体型要素である（すなわちこれらはパンツ型おむつに固定された別々に操作される要素ではなく、パンツ型おむつ２００の様々な層の１つ又はそれ以上（少なくともベルト層４２０、４４０及び好ましくはまたシャシー層４００）の延長部から形成され、これらの延長部である。）好ましい実施態様において、各ストレッチパネルは、シャシー層の一部、各ベルト層の一部、シャシー層とベルト層との間に配置された弾性パネル部材、及び障壁層の一部から形成される。
【００５２】
ベルト３８０は、サイドパネル４６０と４８０において弾性的に伸展性があり、パンツ型おむつ２００を当初から装着者の形に合わせて適合させ、おむつに排泄物が負荷されたずっと後でも装着の間中、腰及び脚の両方に沿って力を分散させてこの適合を持続させる。これは、パンツ型おむつ２００のサイド部が伸縮しうるからである。サイドパネル４６０及び４８０は、少なくとも１つの方向、好ましくは側面方向にベクトル要素を有する方向に、より好ましくは側面方向に伸展性があり、よりよい適合を生じる。しかしながら、サイドパネル４６０及び４８０は、その他のあらゆる方向又は１つ以上の方向に伸展性があってもよい。さらにはサイドパネルは、１つ又はそれ以上の伸展性離散（ｄｉｓｃｒｅｔｅ）領域を有していてもよい。
【００５３】
弾性的に伸展性のあるストレッチパネル（前部ストレッチパネル４６０及び後部ストレッチパネル４８０）が、前部２６０及び後部２８０の両方の各サイドパネルに形成される。ここで用いられている「パネル」という用語は、パンツ型おむつ又はベルトの要素の区域を示す。図７は、おむつ２０の前部２６０の断面図を示す。各前部ストレッチパネル４６０は少なくとも、サイドパネルに第一ベルト層４２０の部分と、これに接着された本発明によるラミネート部材２０とを備え、この特別な図面においてはサイドパネルを形成するシャシー層４００の部分を備える。好ましくはラミネート部材２０は、シャシー層４００と第一ベルト層４２０との間に配置され、より好ましくは長手方向に末端縁部７００から、最も好ましくは脚部縁部７１０まで（図６に示されている）伸びている。本発明によるラミネート構造体２０を用いるのが特に好ましい。
【００５４】
図７は、穿くタイプの衣類２００の前部２６０の横断面図のみを示しているが、後部２８０も同様な構成である。各後部ストレッチパネル４８０は少なくとも、各サイドパネルにある第二ベルト層４４０の部分、及びこれに接着された（後部）ラミネート部材２０’（図示されていない）、及びこの特別な実施態様においては、サイドパネルを形成するシャシー層４００の部分を備えている。好ましくは（後部）ラミネート部材２０′は、シャシー層４００と第二ベルト層４４０との間に配置され、より好ましくは末端縁７００′（図示されていない）から、最も好ましくは脚縁７１０′（図示されていない）まで長手方向に伸びている。
【００５５】
図６に示されているように、シャシー層４００は、パンツ型おむつ２００の第一層状体又は第一層を形成しているのが示され、内側表面７６０と外側表面７７０とを有している。第一ベルト層４２０はシャシー層４００の外側表面７７０に配置されて、前部２６０にパンツ型おむつ２００の外側表面２２０を形成する。ラミネート部材２０は好ましくは、第一ベルト層４２０とシャシー層４００との間に配置されている。トップシート８００は好ましくは、液体透過性第一層８６０と２つのバリヤー層８８０とを備えている。バリヤー層８８０は第一層８６０からサイド縁部７２０まで側面方向に外側に伸びている。各バリヤー層８８０はフラップ部分９０と立ち上がり部分９２０とを備えて、第一層８６の表面から立ち上がって、使用中にバリヤー又は壁を形成する。フラップ部分９００は、立ち上がり部分９２０からサイド縁部７２０まで側面方向に外側に伸びている。吸収性コア８４０は好ましくは、第一層８６０とシャシー層４００との間に配置されている。後部の構成は好ましくは前部２６０の構成と同じである。
【００５６】
ラミネート部材２０は、ストレッチパネル４６０においてシャシー層４００、ベルト層３８０、あるいはこれら両方に、操作によって接着させることができる。この際、断続的接着形状か、あるいは実質的に連続的な接着形状かのどちらかを用いる。ここで用いられている「断続的に」接着されたラミネートウエブは、プライ（ｐｌｙ）が間隔をあけて配置された離散点において互いに当初から接着されているラミネートウエブか、あるいはプライが間隔をあけて配置された離散区域において互いに実質的に接着されていないラミネートウエブを意味する。逆に「実質的に連続的に」接着されたラミネートウエブは、界面区域全体においてプライが互いに実質的に連続的に当初から接着されたラミネートウエブを意味する。このような方法は、例えば１９７５年１月１４日付けでブエル（Ｂｕｅｌｌ）に対し発行された、発明の名称が「使い捨ておむつ用の収縮しうるサイド部分（Ｃｏｎｔｒａｃｔｉｂｌｅ  Ｓｉｄｅ  Ｐｏｒｔｉｏｎｓ  Ｆｏｒ  Ａ  Ｄｉｓｐｏｓａｂｌｅ  Ｄｉａｐｅｒ）」という米国特許第３，８６０，００３号、及び１９９５年２月９日に公開されたザ・プロクター・アンド・ギャンブル社（Ｔｈｅ  Ｐｒｏｃｔｅｒ  ＆  Ｇａｍｂｌｅ  Ｃｏｍｐａｎｙ）の、発明の名称が「弾性様挙動を示すウエブ材料（Ｗｅｂ  Ｍａｔｅｒｉａｌｓ  Ｅｘｈｉｂｉｔｉｎｇ  Ｅｌａｓｔｉｃ−ｌｉｋｅ  Ｂｅｈａｖｉｏｒ）」という国際特許出願第ＷＯ９５／０３７６５号中に記載されている。これらの特許の各々の記載内容はここに引用されることにより本願の明細書中に組み込まれる。あるいはまた、ラミネート部材及びストレッチパネルのその他のあらゆる要素は断続的又は連続的に互いに接着される。この際、熱接着、圧力接着、超音波接着、動的機械的的接着、あるいはこの技術で知られているあらゆるその他の方法が用いられる。
【００５７】
伸展力、伸展モジュール（ｅｘｔｅｎｓｉｏｎ  ｍｏｄｕｌｕｓ）、及び有効ストレッチ（伸展）を含む伸展特性；及びストレッチパネルの収縮力及び収縮率は、ストレッチパネル及びパンツ型おむつの両方の性能において、重要な考慮事項であることが分った。伸展性及び適合力は、装着してあげる人（ａｐｐｌｉｃａｔｏｒ）及び装着者に、使用中に全体的として感じられる「ストレッチ性」を与える。またこれらによって、装着してあげる人が適切な程度の装着ストレッチを得ることができる（すなわち、装着する時に「普通に」感じられるおむつの張力に関して、結果として生じる伸びの総量は、体に合った良好な適合を得るため／維持するために望まれる量である）。比較的高い伸展率／力を備えたストレッチパネルは、装着者の皮膚に赤い痕を生じることがあるが、一方比較的低い伸展率／力は、装着者に付けられている場合にたるみ／ずれを引起こすことがある。有効ストレッチがあまりに少ないストレッチパネルは、体への適切な水準の適合を得ることはできず、このためおむつは装着するのが不快で、身に付けるのが難しくなる原因になることもある。非常に低い収縮力（あるいは過度の弾性クリープ、過度の弾性力弛緩、あるいは過度の非弾性「設定（ｓｅｔ）」）を備えたストレッチパネルは、装着者の定位置に止まらないこともあり、装着者に付けられている場合にたるんだり／ずれたりする傾向があり、その結果適合と封じ込めが悪くなる。本発明のラミネート構造体２０をパンツ型おむつ２０のサイドパネル４６０と４８０に組込むと、体への高い水準の適合を得ることができる一方、実質的にたるみもずれもなくなる。
【００５８】
パンツ型おむつ２００は、介護者によって装着されるか、あるいは装着者が自分で身に付けることができる。一般に腰開口３６０は伸張するので、装着者は片方の脚を、脚開口３４０の１つに入れることができる。ついでもう一方の脚をもう１つの脚開口３４０に挿入する。ついでパンツ型おむつ２００を装着者の胴体の上に引き上げて、その装着位置に配置する。本発明のラミネート構造体２０を組み込んでいるサイドパネル４６０、４８０によって生じた力の壁は特に、さらに伸張するのではなく、この製品を無理にお尻の上に引き上げて被せることによって、このパンツ型おむつを自分で装着するのを助ける。ついでパンツ型おむつは装着され、このおむつは、排出された体内からの排泄物を封じ込めて保持することができる。パンツ型おむつは、脚から引き下げるか、あるいは閉じ部に隣接したこのパンツ型おむつの部分を裂いて、装着者から取り外す。
【００５９】
体にぴったり合った衣類、例えばパンツ型おむつ２００について、この衣類の通気性及び円周力（ｃｉｒｃｕｍｆｅｒｅｎｔｉａｌ  ｆｏｒｃｅｓ）は、特に暑くて湿った条件下では性能に対して特に重要である。吸収体が装着者に配置される場合、皮膚は衣類を構成する材料によって塞がれ、これによって蒸発が妨げられ、その結果、塞がれた区域が冷えることになる。この結果今度は、装着者にとって快適でなくなる。従ってサイドパネルにおける十分な湿分蒸気透過は、望ましい性能特性である。望ましい重さの平均質量蒸気透過率を有するサイドパネル４６０及び４８０の例には、本発明によるラミネート構造２０が含まれる。
【００６０】
ここに記載された例及び実施例は、図示を目的とするだけであり、これを考慮した様々な修正又は変更も、本発明の範囲から逸脱することなく当業者には示唆されるものと理解される。
【図面の簡単な説明】
【図１】本発明のラミネート構造体の好ましい実施例の層の立体分解図であり、ラミネート構造体として形成される前のものである。
【図２Ａ】本発明に従って製造されたラミネート構造体の断片側面図である。
【図２Ｂ】本発明に従って製造されたラミネート構造体の断片側面図である。
【図３Ａ】ラミネート構造体の形成中の様々な段階における、図２のラミネート構造体の一部の拡大図である。
【図３Ｂ】ラミネート構造体の形成中の様々な段階における、図２のラミネート構造体の一部の拡大図である。
【図３Ｃ】ラミネート構造体の形成中の様々な段階における、図２のラミネート構造体の一部の拡大図である。
【図４】図１〜図３に示されたラミネート構造体の一部の上面図である。
【図５】図１〜図４のラミネート構造体の好ましい形成方法の概略図である。
【図６】本発明のラミネート構造体を典型的な使用形状に組込んでいる、典型的な穿くタイプの使い捨て衣類の透視図である。
【図７】図６に示された穿くタイプの衣類の一部の横断面透視図である。
【符号の説明】
２０…ラミネート構造体、２２…第一カバーストック層（第一不織布層）、２４…エラストマー層、２６…第二カバーストック層（第二不織布層）、３２…開口、４２…内側表面、４４…外側表面、４６…内側表面、４８…外側表面、６８…玉縁（第一接着剤）、８０…縁部区域、Ａ…サイドアンカー領域（サイド定着領域）。
【図１】
0003933710.tif 000003
【図２Ａ】
0003933710.tif 000004
【図２Ｂ】
0003933710.tif 000005
【図３Ａ】
0003933710.tif 000006
【図３Ｂ】
0003933710.tif 000007
【図３Ｃ】
0003933710.tif 000008
【図４】
0003933710.tif 000009
【図５】
0003933710.tif 000010
【図６】
0003933710.tif 000011
【図７】
0003933710.tif 000012